(57)【要約】【課題】ラベルを使用することなく被包装物の状態を識別することができ、且つ包装箱を繰り返し再利用することが可能な、低コスト化、省資源化が図られた包装体を提供する。【解決手段】包装体１は、包装箱１０と、その内部に配置される緩衝包装材２０とを備え、緩衝包装材２０が、折り曲げ方を変更することにより、第１の係止片２８或いは第２の係止片２９で緩衝包装材本体２１と係合して開口の少なくとも一部を閉鎖可能な開閉部２７を備えるとともに、緩衝包装材本体２１に、第１の係止片２８を係合させて開閉部２７を閉鎖し、包装箱１０に収納したとき、包装箱１０に完全に内包され、第２の係止片２９を係合させて開閉部２７を閉鎖し、包装箱１０に収納したとき、第１の係止片２８の一部が包装箱１０の側面から外側に突出する。これにより、緩衝包装材２０の開閉部２７の閉鎖方法を変更するだけで、包装箱１０の外観に変化を付与することができる。【選択図】図８
2009173320.tif 000002
【特許請求の範囲】
【請求項１】
包装箱と、この包装箱の内部に配置される緩衝包装材とを備えた包装体において、
前記緩衝包装材は、折り曲げ方を変更することにより、第１の係止片、或いは第２の係止片で緩衝包装材本体と係合して開口の少なくとも一部を閉鎖可能な開閉部を備えるとともに、緩衝包装材本体に、第１の係止片を係合させて開閉部を閉鎖し、前記包装箱に収納したとき、包装箱に完全に内包され、第２の係止片を係合させて開閉部を閉鎖し、包装箱に収納したとき、第１の係止片の少なくとも一部が包装箱の側面から外側に突出することを特徴とする包装体。
【請求項２】
前記包装箱は、その側面から外側に突出可能な突出片を備えるとともに、前記緩衝包装材本体に前記第２の係止片を係合させて前記開閉部を閉鎖したとき、突出片に前記第１の係止片が当接し、突出片が外側に突出することを特徴とする請求項１に記載の包装体。
【請求項３】
前記緩衝包装材本体に前記第２の係止片を係合させて前記開閉部を閉鎖したとき、前記包装箱の側面から外側に突出する部分に、情報表示部を備えることを特徴とする請求項１または請求項２に記載の包装体。
【請求項４】
前記第１の係止片及び前記第２の係止片は、互いの表面が面一となる板状部材で構成されるとともに、互いが反対方向に向かって前記開閉部先端から延びていることを特徴とする請求項１〜請求項３のいずれか１項に記載の包装体。
【発明の詳細な説明】
【技術分野】
【０００１】
本発明は、被包装物である物品を包装するための包装体に関する。
【背景技術】
【０００２】
画像形成装置や家庭用電化製品、そしてそれらを構成する機能部材や電子部品等の物品は、通常段ボールなどで構成される包装体によって包装され、出荷されている。包装体は、被包装物である物品を段ボール製の包装箱にすっぽりと収容する形のものが多い。また、包装体は、搬送時の衝撃から被包装物を保護するために、緩衝包装材を介して包装箱に被包装物を収容する場合も多い。
【０００３】
単一の包装箱に複数の被包装物を収容したり、包装箱と被包装物との間に間隙を設けて収容したりする場合には、包装箱の内部に、緩衝包装材が配置される。この緩衝包装材は、包装箱内の複数の被包装物が互いに衝突したり、包装箱が衝撃を受けて被包装物が大きく移動し、内壁に衝突したりしないように、緩衝作用をもたらすものである。このように包装体において緩衝包装材は、包装箱内に収容された被包装物を破損から保護している。
【０００４】
一方、包装体で包装された被包装物を輸送、保管する場合、内容物や送り先、保管場所、所有者などの被包装物に関する情報を周知させたり、混乱しないようにしたりするために、送り状や荷札、内容表示などを記載したラベルを包装箱の外側に貼付することがある。この送り状や荷札、内容表示などには、一般的に粘着ラベルが使用される。粘着ラベルは、その表面に表示面が、裏面に粘着剤が備えられ、表示面に必要事項を記載、印刷して、粘着剤で包装箱表面に貼付することにより、容易に被包装物に関する情報を識別することが可能である。
【０００５】
しかしながら、このような粘着ラベルは、裏面の粘着剤による粘着力が強く、包装箱から剥離する場合、包装箱の表層を破壊してしまうことがある。これにより、包装箱の外観を損ない、包装箱を破棄しなければならなくなる恐れがある。その結果、包装箱を再利用することができなくなり、昨今推し進められている省資源化、低コスト化に反することとなる。
【０００６】
そこで、上記のような問題を解決すべく、包装箱の表層を破壊することなく、送り状や荷札に粘着ラベルを使用することが可能な包装体が提案され、その一例を特許文献１に見ることができる。特許文献１に記載された段ボール箱（包装体）は、その少なくとも１面に、粘着剤に対して剥離性を有する領域を形成している。
【特許文献１】登録実用新案第３０２４７９４号公報（図１）
【発明の開示】
【発明が解決しようとする課題】
【０００７】
特許文献１に記載された段ボール箱（包装体）は、その少なくとも１面に、粘着剤に対して剥離性を有する領域を形成し、この領域に対する粘着層を有する識別票（粘着ラベル）の貼付、剥離を容易にすることで、包装箱を再利用できるようにしている。しかしながら、この方法は、粘着ラベルに多くの情報を記載する必要がある場合に有効である一方、情報量が少ない場合にラベル自体のコストや、ラベルの貼付作業に掛かるコストを浪費してしまう恐れがある。
【０００８】
被包装物に対する情報量が少ない場合とは、例えば、包装箱内に被包装物が入っているか否かの表示や、被包装物が新品／中古の表示、仕掛品／完成品の表示、使用前／使用済みの表示といった被包装物の状態情報の場合である。このような場合には、ラベルを貼付することなく、簡易的に被包装物の状態を識別することが可能であり、且つ包装箱を繰り返し再利用することが可能な手法が求められる。
【０００９】
本発明は上記の点に鑑みなされたものであり、ラベルを使用することなく簡易的に被包装物の状態を識別することができ、且つ包装箱を繰り返し再利用することが可能な、低コスト化、省資源化が図られた包装体を提供することを目的とする。
【課題を解決するための手段】
【００１０】
上記の課題を解決するため、本発明は、包装箱と、この包装箱の内部に配置される緩衝包装材とを備えた包装体において、前記緩衝包装材は、折り曲げ方を変更することにより、第１の係止片、或いは第２の係止片で緩衝包装材本体と係合して開口の少なくとも一部を閉鎖可能な開閉部を備えるとともに、緩衝包装材本体に、第１の係止片を係合させて開閉部を閉鎖し、前記包装箱に収納したとき、包装箱に完全に内包され、第２の係止片を係合させて開閉部を閉鎖し、包装箱に収納したとき、第１の係止片の少なくとも一部が包装箱の側面から外側に突出することとした。
【００１１】
また、上記構成の包装体において、前記包装箱は、その側面から外側に突出可能な突出片を備えるとともに、前記緩衝包装材本体に前記第２の係止片を係合させて前記開閉部を閉鎖したとき、突出片に前記第１の係止片が当接し、突出片が外側に突出することとした。
【００１２】
また、上記構成の包装体において、前記緩衝包装材本体に前記第２の係止片を係合させて前記開閉部を閉鎖したとき、前記包装箱の側面から外側に突出する部分に、情報表示部を備えることとした。
【００１３】
また、上記構成の包装体において、前記第１の係止片及び前記第２の係止片は、互いの表面が面一となる板状部材で構成されるとともに、互いが反対方向に向かって前記開閉部先端から延びていることとした。
【発明の効果】
【００１４】
本発明の構成によれば、包装箱と、この包装箱の内部に配置される緩衝包装材とを備えた包装体において、前記緩衝包装材は、折り曲げ方を変更することにより、第１の係止片、或いは第２の係止片で緩衝包装材本体と係合して開口の少なくとも一部を閉鎖可能な開閉部を備えるとともに、緩衝包装材本体に、第１の係止片を係合させて開閉部を閉鎖し、前記包装箱に収納したとき、包装箱に完全に内包され、第２の係止片を係合させて開閉部を閉鎖し、包装箱に収納したとき、第１の係止片の少なくとも一部が包装箱の側面から外側に突出することとしたので、緩衝包装材の開閉部の閉鎖方法を変更するだけで、包装箱の外観に変化を付与することができる。これにより、被包装物の状態を、粘着ラベルなどに記載して貼付することなく、包装箱の外観を見ただけで簡易的に識別できるようにすることが可能である。さらに、包装箱の外観に変化を付与するのは、緩衝包装材の開閉部の折り曲げ方を変更するだけで成し得るので、包装箱を大きく傷付けることがなく、繰り返し再利用することができる。このようにして、低コスト化、省資源化が図られた包装体を得ることが可能である。
【００１５】
また、前記包装箱は、その側面から外側に突出可能な突出片を備えるとともに、前記緩衝包装材本体に前記第２の係止片を係合させて前記開閉部を閉鎖したとき、突出片に前記第１の係止片が当接し、突出片が外側に突出することとしたので、包装箱の外観に大きな変化を付与することができる。これにより、包装箱の外観の変化を認識し易くなる。したがって、被包装物の状態を見た目で簡易的に識別できるようにする作用が高められ、被包装物の輸送や保管に関する作業効率の向上を図ることが可能である。
【００１６】
また、前記緩衝包装材本体に前記第２の係止片を係合させて前記開閉部を閉鎖したとき、前記包装箱の側面から外側に突出する部分に、情報表示部を備えることとしたので、被包装物に対する情報量をさらに増加させることができる。これにより、ラベルを使用した場合と同等の情報を得ることも可能である。したがって、ラベルと同等の情報を得たい場合でもラベルを使用する必要がなくなり、さらに低コスト化、省資源化が図られた包装体を提供することができる。
【００１７】
また、前記第１の係止片及び前記第２の係止片は、互いの表面が面一となる板状部材で構成されるとともに、互いが反対方向に向かって前記開閉部先端から延びていることとしたので、互いの緩衝包装材本体への係合、及び第１の係止片の包装箱側面からの突出を、容易に実現することが可能であり、さらに第１及び第２の係止片の形成に必要な部材量をできるだけ少なくすることができる。したがって、ラベルを使用することなく簡易的に被包装物の状態を識別可能な作用を十分考慮しながら、低コスト化、省資源化を一層向上させることができる。
【発明を実施するための最良の形態】
【００１８】
以下、本発明の実施形態を図１〜図１０に基づき説明する。
【００１９】
最初に、本発明の実施形態に係る包装体について、図１〜図５を用いてその構成を説明する。図１は包装体全体の外観斜視図、図２は蓋部を開放した状態を示す包装体の斜視図、図３は緩衝包装材の正面図、図４は包装箱の展開図、図５は緩衝包装材本体の展開図である。
【００２０】
包装体１は、図１に示すように、その外形が直方体形状をなすように形成されている。包装体１は、図２及び図３に示すように、外箱である包装箱１０と、この包装箱１０の内部に配置される緩衝包装材２０とを備えている。包装体１は、緩衝包装材２０内部の収容空間に、被包装物である物品（図示せず）を収容する。
【００２１】
包装箱１０は、包装体１の外形を形成し、直方体形状で構成されている。包装箱１０は、展開すると図４に示す展開図となり、展開した状態において板状をなす部材であって、段ボールで構成されている。包装箱１０の上部には、図２に示すように、フラップ状の蓋部１１が備えられている。この蓋部１１を開放することにより、包装箱１０の上部に開口が現れ、緩衝包装材２０や被包装物を出し入れすることができる。
【００２２】
蓋部１１には、図１、図２、及び図４に示すように、その長手方向略中央部に、突出片１２が設けられている。突出片１２は、蓋部１１表面から切り起こしにて外側に突出させることが可能であるが（図９参照）、包装体１の通常の使用時、図１に示すように蓋部１１と面一な状態にある。この突出片１２の詳細な作用は後述する。
【００２３】
緩衝包装材２０は、図２に示すように、その外形寸法が、直方体形状をなす包装箱１０の内部にぴったりと収まるように形成されている。緩衝包装材２０は、図２及び図３に示すように、緩衝包装材本体２１と、２枚の板状仕切り２２と、２枚の脚部材２３とを備えている。これらの部材で包囲された緩衝包装材２０の内部の収容空間に、被包装物である物品が収容される。
【００２４】
緩衝包装材本体２１は、図２に示すように、底面部に対して２箇所の垂直な側壁２４を備えた樋形状をなしている。被包装物は、この緩衝包装材本体２１の内底面の中央部に載置されることになる。緩衝包装材本体２１を展開すると、図５に示す展開図となる。緩衝包装材本体２１は、展開した状態において略矩形の板状をなす部材であって、段ボールで構成されている。図５において、緩衝包装材本体２１の左右方向長さが、包装箱１０の内側面の、一対の対向面間の距離に略一致する。
【００２５】
緩衝包装材本体２１の折り目２４ａで、その外側部分を上方に折り曲げることにより、図５においての上下に位置する、対向する二辺の箇所に垂直な側壁２４が形成される（図２参照）。
【００２６】
緩衝包装材本体２１の横方向両側には、切り込み２５、２６が備えられている。切り込み２５、２６ともに計２箇所ずつ設けられ、緩衝包装材本体２１の底面部から上方に向かって所定高さまで延びている。切り込み２５には板状仕切り２２が、切り込み２６には脚部材２３が下方から係合する（図２及び図３参照）。
【００２７】
２枚の板状仕切り２２は、図２に示すように、被包装物の収容空間に対して外側に位置し、側壁２４に直交して対向する壁部を構成している。２枚の脚部材２３は、図３に示すように、２枚の板状仕切り２２の間の箇所であって、緩衝包装材本体２１の下方に配置されている。したがって、緩衝包装材本体２１は、板状仕切り２２及び脚部材２３によって下方から支持され、その外底面が、包装箱１０の内底面から上方に離れた箇所で保持されている。
【００２８】
２箇所にある側壁２４の一方の上部には、図２及び図５に示すように、開閉部２７が備えられている。開閉部２７は、フラップ状で形成され、側壁２４の上端から緩衝包装材本体２１の外側に向かって延びている。そして、この開閉部２７は、その先端に設けられた係止片を他方の側壁２４の上部に係合させることにより、図２示すように、樋形状をなす緩衝包装材本体２１の上部開口の一部を閉鎖することができる。
【００２９】
開閉部２７の先端には、図５に示すように、第１の係止片２８、及び第２の係止片２９が備えられている。第１の係止片２８及び第２の係止片２９は、図２、図３、及び図５に示すように、互いの表面が面一となる板状部材で構成されるとともに、互いが反対方向に向かって開閉部２７先端から延びている。開閉部２７は、折り目２７ａの折り曲げ方を変更することにより、第１の係止片２８、或いは第２の係止片２９のいずれか一方で緩衝包装材本体２１の他方の側壁２４と係合し、緩衝包装材本体２１の上部開口の一部を閉鎖する。
【００３０】
なお、図２及び図３は、第１の係止片２８を下方に向け、開閉部２７が、第１の係止片２８で緩衝包装材本体２１の他方の側壁２４と係合している状態を描画している。この状態では、第１の係止片２８とは反対の上方に向かって延びる、第２の係止片２９の折り目２７ａからその先端までの長さが、折り目２７ａから包装箱１０の天井部までの距離より短い。したがって、図１及び図３に示すように、緩衝包装材２０が、包装箱１０に完全に内包されている。
【００３１】
次に、この開閉部２７に関して、第２の係止片２９でもって緩衝包装材本体２１の上部開口の一部を閉鎖する場合について、図５に加えて、図６〜図１０を用いて説明する。図６は開閉部の係止片の箇所の折り曲げ方を変更した状態を示す包装体の斜視図、図７は開閉部を閉鎖した状態を示す包装体の斜視図、図８は図７に示す緩衝包装材の正面図、図９は図７の蓋部を閉鎖した包装体全体の外観斜視図、図１０は図９の突出片の箇所を示す部分拡大正面図である。
【００３２】
図６は、図５に示す折り目２７ａの折り曲げ方を変更し、開閉部２７の第２の係止片２９が下方を向くようにした状態を示す図である。このまま緩衝包装材本体２１の上部開口の一部を閉鎖すると、第２の係止片２９が緩衝包装材本体２１の側壁２４と係合し、図７に示すように、第１の係止片２８が上方を向くこととなる。
【００３３】
この状態では、第２の係止片２９とは反対の上方に向かって延びる、第１の係止片２８の折り目２７ａからその先端までの長さが、折り目２７ａから包装箱１０の天井部までの距離より長い。したがって、図８に示すように、第１の係止片２８の一部、すなわち先端が、包装箱１０の一側面である上面から外側に突出している。
【００３４】
そして、図７の状態で包装箱１０の蓋部１１を閉鎖すると、蓋部１１に設けられた突出片１２に第１の係止片２８の先端が当接し、図９に示すように、突出片１２が包装箱１０の上面から外側に突出する。なお、突出片１２は、緩衝包装材本体２１の開閉部２７の折り目２７ａ、すなわち折り曲げられた第１の係止片２８の先端に対応する箇所に設けられている。
【００３５】
突出片１２は、その内側であって、第１の係止片２８の先端が当接して包装箱１０の外側に現れる面に、図１０に示すように、情報表示部１３を備えている。ここで、包装体１は、使用前及び使用後の被包装材を輸送、保管するために利用されることを想定しており、情報表示部１３に「済」の文字が記載されている。また、突出片１２及び情報表示部１３を比較的大きめに構成し、複数の文字や記号を記載することも可能である。
【００３６】
上記のように、包装箱１０と、この包装箱１０の内部に配置される緩衝包装材２０とを備えた包装体１において、緩衝包装材２０は、折り曲げ方を変更することにより、第１の係止片２８、或いは第２の係止片２９で緩衝包装材本体２１と係合して開口の少なくとも一部を閉鎖可能な開閉部２７を備えるとともに、緩衝包装材本体２１に、第１の係止片２８を係合させて開閉部２７を閉鎖し、包装箱１０に収納したとき、包装箱１０に完全に内包され、第２の係止片２９を係合させて開閉部２７を閉鎖し、包装箱１０に収納したとき、第１の係止片２８の少なくとも一部が包装箱１０の側面から外側に突出するので、緩衝包装材２０の開閉部２７の閉鎖方法を変更するだけで、包装箱１０の外観に変化を付与することができる。これにより、被包装物の状態を、粘着ラベルなどに記載して貼付することなく、包装箱１０の外観を見ただけで簡易的に識別できるようにすることが可能である。さらに、包装箱１０の外観に変化を付与するのは、緩衝包装材２０の開閉部２７の折り曲げ方を変更するだけで成し得るので、包装箱１０を大きく傷付けることがなく、繰り返し再利用することができる。このようにして、低コスト化、省資源化が図られた包装体１を得ることが可能である。
【００３７】
また、包装箱１０は、その側面から外側に突出可能な突出片１２を備えるとともに、緩衝包装材本体２１に第２の係止片２９を係合させて開閉部２７を閉鎖したとき、突出片１２に第１の係止片２８が当接し、突出片１２が包装箱１０の上面外側に突出するので、包装箱１０の外観に大きな変化を付与することができる。これにより、包装箱１０の外観の変化を認識し易くなる。したがって、被包装物の状態を見た目で簡易的に識別できるようにする作用が高められ、被包装物の輸送や保管に関する作業効率の向上を図ることが可能である。
【００３８】
そして、緩衝包装材本体２１に第２の係止片２９を係合させて開閉部２７を閉鎖したとき、包装箱１０の側面から外側に突出する部分に、情報表示部１３を備えているので、被包装物に対する情報量をさらに増加させることができる。これにより、ラベルを使用した場合と同等の情報を得ることも可能である。したがって、ラベルと同等の情報を得たい場合でもラベルを使用する必要がなくなり、さらに低コスト化、省資源化が図られた包装体１を提供することができる。
【００３９】
さらに、第１の係止片２８及び第２の係止片２９は、互いの表面が面一となる板状部材で構成されるとともに、互いが反対方向に向かって開閉部２７先端から延びているので、互いの緩衝包装材本体２１への係合、及び第１の係止片２８の包装箱１０側面からの突出を、容易に実現することが可能であり、さらに第１の係止片２８及び第２の係止片２９の形成に必要な部材量をできるだけ少なくすることができる。したがって、ラベルを使用することなく簡易的に被包装物の状態を識別可能な作用を十分考慮しながら、低コスト化、省資源化を一層向上させることができる。
【００４０】
以上、本発明の実施形態につき説明したが、本発明の範囲はこれに限定されるものではなく、発明の主旨を逸脱しない範囲で種々の変更を加えて実施することができる。
【００４１】
例えば、上記実施形態では、緩衝包装材本体２１に第２の係止片２９を係合させて開閉部２７を閉鎖したとき、突出片１２に第１の係止片２８が当接し、突出片１２が包装箱１０の上面外側に突出することとしたが、突出片１２を用いることなく、包装箱１０本体と蓋部１１との隙間から、直接第１の係止片２８の先端が包装箱１０の外側に突出するように構成することも可能である。
【００４２】
また、突出片１２の情報表示部１３に記載した情報は一例であって、上記実施形態の内容に限定されるわけではなく、包装体１の用途に応じて、様々な文字や記号、模様などを記載、描画することができる。
【産業上の利用可能性】
【００４３】
本発明は、被包装物である物品を包装するための包装体全般において利用可能である。
【図面の簡単な説明】
【００４４】
【図１】本発明の実施形態に係る包装体全体の外観斜視図である。
【図２】蓋部を開放した状態を示す包装体の斜視図である。
【図３】図２に示す緩衝包装材の正面図である。
【図４】図２に示す包装箱の展開図である。
【図５】図２に示す緩衝包装材本体の展開図である。
【図６】開閉部の係止片の箇所の折り曲げ方を変更した状態を示す包装体の斜視図である。
【図７】図６の開閉部を閉鎖した状態を示す包装体の斜視図である。
【図８】図７に示す緩衝包装材の正面図である。
【図９】図７の蓋部を閉鎖した包装体全体の外観斜視図である。
【図１０】図９の突出片の箇所を示す部分拡大正面図である。
【符号の説明】
【００４５】
１    包装体
１０  包装箱
１１  蓋部
１２  突出片
１３  情報表示部
２０  緩衝包装材
２１  緩衝包装材本体
２４  側壁
２７  開閉部
２７ａ  折り目
２８  第１の係止片
２９  第２の係止片
【図１】
2009173320.tif 000003
【図２】
2009173320.tif 000004
【図３】
2009173320.tif 000005
【図４】
2009173320.tif 000006
【図５】
2009173320.tif 000007
【図６】
2009173320.tif 000008
【図７】
2009173320.tif 000009
【図８】
2009173320.tif 000010
【図９】
2009173320.tif 000011
【図１０】
2009173320.tif 000012